(57)【要約】【課題】簡易な構成の追加で、卓上ホルダに装着されている携帯端末を操作可能とする。【解決手段】本発明の携帯端末は、卓上ホルダに装着される携帯端末であって、外部に光を出力する発光部と、発光部の出力光が反射された反射光を受光する受光部と、卓上ホルダに装着されている場合には、発光部に光を出力させ、受光部にて受光された反射光の光量に対応する動作内容で携帯端末を動作させる制御部とを有する。また、本発明の卓上ホルダは、外部に光を出力する発光部と、発光部の出力光が反射された反射光を受光する受光部とを備える携帯端末が装着される卓上ホルダであって、反射率が異なる複数の領域を備え、携帯端末が装着された状態で、発光部の出力光が照射されると、複数の領域のいずれかにより出力光を受光部に向けて反射させる反射板と、複数の領域のいずれかに発光部の出力光が照射されるように反射板を可動とする可動機構と、を有する。【選択図】図６
2012147075.tif 000002
【特許請求の範囲】
【請求項１】
端末外部に光を出力する発光部と、前記発光部の出力光が反射された反射光を受光する受光部と、を備える携帯端末が装着される卓上ホルダであって、
前記携帯端末が装着される装着部と、
反射率が異なる複数の領域を備え、前記装着部に前記携帯端末が装着された状態で、前記発光部の出力光が照射されると、前記複数の領域のいずれかにより該出力光を前記受光部に向けて反射させる反射板と、
前記複数の領域のいずれかに前記発光部の出力光が照射されるように前記反射板を可動とする可動機構と、を有することを特徴とする卓上ホルダ。
【請求項２】
請求項１記載の卓上ホルダにおいて、
前記卓上ホルダは、前記携帯端末を充電する卓上充電器であることを特徴とする卓上ホルダ。
【請求項３】
端末外部に光を出力する発光部と、前記発光部の出力光が反射された反射光を受光する受光部とを有し、卓上ホルダに装着される携帯端末であって、
前記携帯端末の動作内容を前記反射光の光量に対応させて記憶する記憶部と、
前記携帯端末が前記卓上ホルダに装着されているか否かを検出する検出部と、
前記検出部により前記携帯端末が前記卓上ホルダに装着されていることが検出された場合には、前記発光部に光を出力させ、前記受光部にて受光された反射光の光量に対応して前記記憶部に記憶されている動作内容で前記携帯端末を動作させる制御部と、を有することを特徴とする携帯端末。
【請求項４】
請求項３記載の携帯端末において、
前記複数の領域は、前記反射板の可動方向に沿って、徐々に反射率が増加または減少するように配列され、
映像を表示する表示部をさらに有し、
前記制御部は、前記光量信号に示される光量に応じて、前記表示部に表示される映像の輝度を制御することを特徴とする携帯端末。
【請求項５】
請求項３記載の携帯端末において、
前記複数の領域は、前記反射板の可動方向に沿って、徐々に反射率が増加または減少するように配列され、
音声を出力する音声出力部をさらに有し、
前記制御部は、前記光量信号に示される光量に応じて、前記音声出力部から出力される音声の音量を制御することを特徴とする携帯端末。
【請求項６】
端末外部に光を出力する発光部と、前記発光部の出力光が反射された反射光を受光する受光部とを有し、卓上ホルダに装着される携帯端末の制御方法であって、
記憶部が、前記携帯端末の動作内容を前記反射光の光量に対応させて記憶し、
検出部が、前記携帯端末が前記卓上ホルダに装着されているか否かを検出し、
制御部が、前記検出部により前記携帯端末が前記卓上ホルダに装着されていることが検出された場合には、前記発光部に光を出力させ、前記受光部にて受光された反射光の光量に対応して前記記憶部に記憶されている動作内容で前記携帯端末を動作させることを特徴とする携帯端末の制御方法。
【発明の詳細な説明】
【技術分野】
【０００１】
本発明は、卓上ホルダ、携帯端末およびその制御方法に関する。
【背景技術】
【０００２】
近年、スマートフォン、携帯電話などの携帯端末を利用者が操作する方法として、様々な方法が検討されている。
【０００３】
例えば、特許文献１（特開２０１０−０３５１２１号公報）には、発光部と、端末本体に対して回転可能であり、発光部の出力光を透過させるとともに、回転位置に応じて透過率が異なる回転ダイヤル部と、回転ダイヤル部の透過光の光量を検出する検出部とを有し、検出された透過光の光量に対応して予め定められた動作内容で動作する携帯端末を、回転ダイヤル部を回転させることで操作する方法が開示されている。
【０００４】
特許文献１に開示の方法によれば、利用者は、意図する携帯端末の動作内容に対応する透過光の光量となるように回転ダイヤル部を回転させることで、携帯端末を操作することができる。
【０００５】
また、別の方法として、操作画面を表示するディスプレイと、ディスプレイ上に配置され、接触を検知するタッチパネルとを有する携帯端末を、操作画面に応じて利用者がタッチパネルに指などで触れることで操作する方法がある。
【０００６】
なお、タッチパネルを有する携帯端末においては、通話のために利用者が顔を近づけた場合に、タッチパネルが接触を検知して誤作動することがある。
【０００７】
そこで、タッチパネルを有する携帯端末に多くには、端末外部に赤外光などの光を出力する発光部と、発光部の出力光が端末外部の物体により反射された反射光を受光する受光部とを備え、受光部の受光状態に応じて、物体の近接を検出する近接センサが搭載されている。
【０００８】
近接センサにより物体の近接が検出されている間は、タッチパネルへの接触の検知を無効とすることで、上述したようなタッチパネルの誤作動を防止することができる。
【先行技術文献】
【特許文献】
【０００９】
【特許文献１】特開２０１０−０３５１２１号公報
【発明の概要】
【発明が解決しようとする課題】
【００１０】
携帯端末は、卓上充電器などの卓上ホルダに装着されることがある。
【００１１】
上述したような、回転ダイヤル部あるいはタッチパネルを操作部とする携帯端末が卓上ホルダに装着された際に、操作部が卓上ホルダに覆われると、操作ができなくなるという課題がある。
【００１２】
そこで、卓上ホルダに携帯端末が装着された状態で、携帯端末と卓上ホルダとを電気的に接続し、携帯端末を操作するための操作信号を伝送するための信号接点を携帯端末と卓上ホルダとに設けるとともに、卓上ホルダに操作部を設けて、その操作部により携帯端末を操作することが考えられる。しかし、上述したような信号接点を設けることは、携帯端末および卓上ホルダの構成の複雑化を招くという課題がある。
【００１３】
本発明の目的は、簡易な構成を追加するだけで、卓上ホルダに装着された携帯端末を操作可能とする、卓上ホルダ、携帯端末およびその制御方法を提供することにある。
【課題を解決するための手段】
【００１４】
上記目的を達成するために本発明の卓上ホルダは、
端末外部に光を出力する発光部と、前記発光部の出力光が反射された反射光を受光する受光部と、を備える携帯端末が装着される卓上ホルダであって、
前記携帯端末が装着される装着部と、
反射率が異なる複数の領域を備え、前記装着部に前記携帯端末が装着された状態で、前記発光部の出力光が照射されると、前記複数の領域のいずれかにより該出力光を前記受光部に向けて反射させる反射板と、
前記複数の領域のいずれかに前記発光部の出力光が照射されるように前記反射板を可動とする可動機構と、を有する。
【００１５】
上記目的を達成するために本発明の携帯端末は、
端末外部に光を出力する発光部と、前記発光部の出力光が反射された反射光を受光する受光部とを有し、卓上ホルダに装着される携帯端末であって、
前記携帯端末の動作内容を前記反射光の光量に対応させて記憶する記憶部と、
前記携帯端末が前記卓上ホルダに装着されているか否かを検出する検出部と、
前記検出部により前記携帯端末が前記卓上ホルダに装着されていることが検出された場合には、前記発光部に光を出力させ、前記受光部にて受光された反射光の光量に対応して前記記憶部に記憶されている動作内容で前記携帯端末を動作させる制御部と、を有する。
【００１６】
上記目的を達成するために本発明の携帯端末の制御方法は、
端末外部に光を出力する発光部と、前記発光部の出力光が反射された反射光を受光する受光部とを有し、卓上ホルダに装着される携帯端末の制御方法であって、
記憶部が、前記携帯端末の動作内容を前記反射光の光量に対応させて記憶し、
検出部が、前記携帯端末が前記卓上ホルダに装着されているか否かを検出し、
制御部が、前記検出部により前記携帯端末が前記卓上ホルダに装着されていることが検出された場合には、前記発光部に光を出力させ、前記受光部にて受光された反射光の光量に対応して前記記憶部に記憶されている動作内容で前記携帯端末を動作させる。
【発明の効果】
【００１７】
本発明によれば、携帯端末および卓上ホルダの構成の複雑化を抑制しつつ、卓上ホルダに装着された携帯端末を操作可能とすることができる。
【図面の簡単な説明】
【００１８】
【図１】本発明の第１の実施形態の携帯端末の構成を示すブロック図である。
【図２】図１に示す携帯端末の外観を示す図である。
【図３】本発明の第１の実施形態の卓上ホルダの外観を示す図である。
【図４Ａ】図３に示す反射板の表面を示す図である。
【図４Ｂ】図３に示す反射板の裏面を示す図である。
【図５】図１に示す携帯端末の図３に示す卓上ホルダへの装着状態を示す図である。
【図６】図５に示すＢ−Ｂ’線に沿った断面図である。
【図７】図１に示す携帯端末のモード切替機能設定時の動作を示すフローチャートである。
【図８】図１に示す携帯端末の動作モード切替時の動作を示すフローチャートである。
【図９Ａ】本発明の第２の実施形態の反射板の表面を示す図である。
【図９Ｂ】本発明の第２の実施形態の反射板の裏面を示す図である。
【図１０】本発明の第２の実施形態の携帯端末のモード切替機能設定時の動作を示すフローチャートである。
【図１１】本発明の第２の実施形態の携帯端末の動作モード切替時の動作を示すフローチャートである。
【図１２Ａ】本発明の第３の実施形態の反射板の表面を示す図である。
【図１２Ｂ】本発明の第３の実施形態の反射板の裏面を示す図である。
【図１３】本発明の第３の実施形態の携帯端末の輝度調整機能設定時の動作を示すフローチャートである。
【図１４】本発明の第３の実施形態の携帯端末の輝度調整時の動作を示すフローチャートである。
【発明を実施するための形態】
【００１９】
以下に、本発明を実施するための形態について図面を参照して説明する。
【００２０】
（第１の実施形態）
図１は、本発明の第１の実施形態の携帯端末１００の構成を示すブロック図である。また、図２は、携帯端末１００の外観を示す図である。また、図３は、本実施形態の卓上ホルダ２００の外観を示す図である。
【００２１】
なお、図１に示す携帯端末１００の具体例としては、携帯電話、スマートフォン、ＰＨＳ（Personal Handy phone System）、ＰＤＡ（Personal Data Assistance，Personal Digital Assistants）、ノートパソコン、電子辞書端末などがある。
【００２２】
また、図３に示す卓上ホルダ２００の具体例としては、商用電源に接続されるとともに、携帯端末１００が装着され、携帯端末１００を充電する卓上充電器がある。
【００２３】
図１および図２に示す携帯端末１００は、ディスプレイ１０１と、タッチパネル１０２と、キーボタン１０３と、レシーバ１０４と、マイクロフォン１０５と、充電端子１０６と、充電用コネクタ１０７と、検出部１０８と、近接センサ１１０と、近接センサ用窓１１３と、記憶部１２０と、制御部１３０と、を有する。
【００２４】
また、近接センサ１１０は、発光部１１１と、受光部１１２と、を有する。
【００２５】
なお、ディスプレイ１０１は、表示部の一例であり、レシーバ１０４は、音声出力部の一例である。
【００２６】
また、検出部１０８、発光部１１１、受光部１１２、記憶部１２０および制御部１３０は、外観上視認されないため、図２においては、記載を省略する。
【００２７】
ディスプレイ１０１は、種々の画面を表示する。
【００２８】
タッチパネル１０２は、ディスプレイ１０１上に配置され、指などの接触により、操作が入力され、入力された操作内容を制御部１３０に出力する。
【００２９】
キーボタン１０３は、押下などにより、操作が入力され、入力された操作内容を制御部１３０に出力する。
【００３０】
レシーバ１０４は、通話時の通話相手の音声などを出力する。
【００３１】
マイクロフォン１０５は、通話時の利用者の音声などを集音する。
【００３２】
充電端子１０６は、携帯端末１００が卓上ホルダ２００に装着された状態で充電される場合に、卓上ホルダ２００と接続される充電接点である。
【００３３】
充電用コネクタ１０７は、携帯端末１００がＡＣアダプタに直接接続された状態で充電される場合に、ＡＣアダプタと接続されるコネクタである。
【００３４】
検出部１０８は、端末外部からの電力供給状態を監視し、充電端子１０６を介して電力が供給されているか、充電用コネクタ１０７を介して電力が供給されているかを検出し、検出結果を制御部１３０に出力する。
【００３５】
近接センサ１１０は、携帯端末１００への物体の近接を検出する。
【００３６】
発光部１１１は、近接センサ用窓１１３を介して、赤外光などの光を携帯端末１００の外部に出力する。なお、以下では、発光部１１１の出力光を、センサ光と称する。
【００３７】
受光部１１２は、近接センサ用窓１１３を介して、センサ光が携帯端末１００の外部の物体により反射された反射光を受光して、反射光の光量を検出し、検出した光量を示す光量信号を制御部１３０に出力する。
【００３８】
記憶部１２０は、携帯端末１００の動作内容を反射光の光量に対応して記憶する。
【００３９】
制御部１３０は、携帯端末１００が卓上ホルダ２００に装着され、検出部１０８により充電端子１０６を介して電力供給が行われていると検出された場合には、光量信号に示される光量に対応して記憶部１２０に記憶されている動作内容に応じて、上述した各部を制御する。なお、制御部１３０は、例えば、ＣＰＵ（Central Processing Unit）である。
【００４０】
次に、本実施形態の卓上ホルダ２００の構成について説明する。
【００４１】
図３に示す卓上ホルダ２００は、装着部２０１と、ＡＣアダプタ２０２と、充電端子２０３と、コネクタ２０４と、反射板２０５と、を有する。
【００４２】
装着部２０１は、携帯端末１００が装着される。
【００４３】
ＡＣアダプタ２０２は、商用電源から供給された電力を携帯端末１００に合わせた形式の電力に変換して出力する。
【００４４】
充電端子２０３は、携帯端末１００が装着部２０１に装着された状態で携帯端末１００の充電端子１０６と接続される充電用の充電接点である。
【００４５】
コネクタ２０４は、ＡＣアダプタ２０２と充電端子２０３とを接続し、ＡＣアダプタ２０２から出力された電力を、充電端子２０３に出力する。
【００４６】
反射板２０５は、プラスチックなどで構成され、携帯端末１００が装着部２０１に装着された状態で、携帯端末１００の近接センサ１１０と対向し、センサ光が照射され、そのセンサ光を携帯端末１００の受光部１１２に向けて反射するように設けられている。なお、以下では、反射板２０５の携帯端末１００と対向する面を裏面と称し、もう一方の面を表面と称する。
【００４７】
図４Ａは、反射板２０５の表面を示す図である。
【００４８】
図４Ａに示すように、反射板２０５の表面は、２つの領域に分割され、一方の領域には文字「Ａ」が印刷され、他方の領域には文字「Ｂ」が印刷されている。
【００４９】
図４Ｂは、反射板２０５の裏面を示す図である。
【００５０】
図４Ｂに示すように、反射板２０５の裏面は、表面の領域分割に対応して、表面の文字「Ａ」が印刷された領域に対応する領域２０５Ａと、表面の文字「Ｂ」が印刷された領域に対応する領域２０５Ｂと、に分割されている。なお、反射板２０５の裏面には、反射板２０５を可動とする可動機構である回転軸２０６が取り付けられている。この回転軸２０６を中心として、反射板２０５は回転することができる。なお、回転軸２０６が取り付けられた領域は、領域２０５Ａおよび領域２０５Ｂから除外される。
【００５１】
領域２０５Ａには、センサ光を反射させる反射シート２０７Ａが貼付され、領域２０５Ｂには反射シートは貼付されない。したがって、領域２０５Ａと領域２０５Ｂとでは、センサ光の反射率が異なる。
【００５２】
図５は、携帯端末１００の卓上ホルダ２００への装着状態を示す図である。また、図６は、図５に示すＡ−Ａ’線に沿った断面図である。
【００５３】
図６に示すように、装着部２０１は、Ａ−Ａ’線に沿った断面が略コの字状をしており、凹部に携帯端末１００が装着される。また、近接センサ１１０と反射板２０５とは対向しており、センサ光が近接センサ用窓１１３を介して反射板２０５の裏面の一部に照射される。
【００５４】
なお、上述したように、反射板２０５は、回転軸２０６を中心として回転するので、反射板２０５の回転に応じて、センサ光が照射される領域が切り替えられる。
【００５５】
ここで、センサ光が領域２０５Ａに照射される場合には、センサ光は反射され、反射光が受光部１１２で受光される。一方、センサ光が領域２０５Ｂに照射される場合には、出力光は反射されず、反射光が受光部１１２で受光されない。したがって、反射板２０５の回転に応じて、受光部１１２での反射光の受光状態が変わる。
【００５６】
次に、本実施形態の携帯端末１００の動作について説明する。
【００５７】
なお、以下では、携帯端末１００は、卓上ホルダ２００に装着された状態で、現在時刻、カレンダーなどをディスプレイ１０１の全面に表示させる卓上時計モード、携帯端末１００内に記憶された写真や動画をディスプレイ１０１に次々と表示させるフォトフレームモード、あるいは、リアルタイムにインターネット経由でニューストピックを取得し、ディスプレイ１０１に表示させるリアルタイムニュースモードのいずれかの動作モードで動作することができるものとする。なお、携帯端末１００の動作モードとしては、他にも、携帯端末１００内に記憶されている音楽を出力する音楽再生モードなど、さまざまな動作モードがある。
【００５８】
また、以下では、光量信号に示される光量に対応して携帯端末１００の動作モードを切り替える機能を、モード切替機能と称する。
【００５９】
図７は、モード切替機能設定時の携帯端末１００の動作を示すフローチャートである。
【００６０】
なお、モード切替機能の設定は、携帯端末１００が卓上ホルダ２００に装着されていない状態で行われる。
【００６１】
タッチパネル１０２などを介して、モード切替機能の設定を行う旨の操作が入力されると、制御部１３０は、モード切替機能を有効または無効に設定する初期設定画面をディスプレイ１０１に表示させる（ステップＳ１０１）。
【００６２】
次に、制御部１３０は、モード切替機能が「有効」に設定されたか否かを判定する（ステップＳ１０２）。
【００６３】
モード切替機能が「無効」に設定された場合には（ステップＳ１０２：Ｎｏ）、制御部１３０は、モード切替機能が無効である旨を記憶部１２０に記憶させ、処理を終了する（ステップＳ１０３）。
【００６４】
モード切替機能が「有効」に設定された場合には（ステップＳ１０２：Ｙｅｓ）、制御部１３０は、モード切替機能が有効である旨を記憶部１２０に記憶させるとともに、領域２０５Ａにセンサ光が照射される場合の動作モードを設定する動作モード設定画面をディスプレイ１０１に表示させる（ステップＳ１０４）。
【００６５】
動作モードが設定されると、制御部１３０は、センサ光が反射シート２０７Ａに照射された場合に、受光部１１２で検出される反射光の光量ＬＡに対応して、その設定された動作モードを記憶部１２０に記憶させる（ステップＳ１０５）。
【００６６】
例えば、制御部１３０は、光量ＬＡに対応して、卓上時計モードが設定された場合には卓上時計モードを、フォトフレームモードが設定された場合にはフォトフレームモードを、リアルタイムニュースモードが設定された場合にはリアルタイムニュースモードを、記憶部１２０に記憶させる。
【００６７】
なお、光量ＬＡは、予め測定され、記憶部１２０に記憶されている。
【００６８】
動作モードの記憶部１２０への記憶が完了すると、制御部１３０は、モード切替機能の設定を終了する。
【００６９】
図８は、動作モード切り替え時の携帯端末１００の動作を示すフローチャートである。
【００７０】
検出部１０８は、電力供給が開始されると、充電端子１０６を介して電力供給が行われているか否かを判定する（ステップＳ２０１）。
【００７１】
検出部１０８により充電コネクタ１０７を介して電力供給が行われていると検出された場合には（ステップＳ２０１：Ｎｏ）、制御部１３０は、ディスプレイ１０１の表示をオフさせるとともに、スリープ状態に入り、省電力モード状態に遷移し、充電を継続する（ステップＳ２０２）。省電力モード状態では、モード切替機能による動作モードの切り替えは行われない。
【００７２】
検出部１０８により充電端子１０６を介して電力供給が行われていると検出された場合には（ステップＳ２０１：Ｙｅｓ）、制御部１３０は、モード切替機能が有効である旨が記憶部１２０に記憶されているか否かを判定する（ステップＳ２０３）。
【００７３】
なお、充電端子１０６を介して電力供給が行われている場合には、携帯端末１００が卓上ホルダ２００に装着されている。ここで、携帯端末１００が卓上ホルダ２００に装着された時点では、反射板２０５の回転位置は、センサ光が領域２０５Ｂに照射される位置にあるものとする。
【００７４】
モード切替機能が無効である場合には（ステップＳ２０３：Ｎｏ）、制御部１３０は、省電力モード状態に遷移し、充電を継続する（ステップＳ２０２）。
【００７５】
モード切替機能が有効である場合には（ステップＳ２０３：Ｙｅｓ）、制御部１３０は、発光部１１１にはセンサ光を出力させ（ステップＳ２０４）、受光部１１２にはセンサ光の反射光を受光させる。受光部１１２は、反射光を受光し、光量信号を出力する。
【００７６】
制御部１３０は、光量信号に示される光量と一致する光量が記憶部１２０に記憶されているか否かを判定する（ステップＳ２０５）。なお、制御部１３０は、例えば、記憶部１２０に記憶されている光量から所定値だけ増加および減少させた光量の範囲に、光量信号に示される光量が含まれている場合には、その光量信号に示される光量が、記憶部１２０に記憶されている光量と一致すると判定する。
【００７７】
上述したように、センサ光は領域２０５Ｂに照射されるので、光量信号に示される光量は、記憶部１２０に記憶されている光量（光量ＬＡ）と一致しない。
【００７８】
光量信号に示される光量と一致する光量が記憶部１２０に記憶されていない場合には（ステップＳ２０５：Ｎｏ）、制御部１３０は、通常モード状態で充電を継続し（ステップＳ２０６）、ステップＳ２０４の処理に戻る。
【００７９】
ここで、センサ光が領域２０５Ａに照射される位置に反射板２０５が回転されたとすると、センサ光が領域２０５Ａに貼付された反射シート２０７Ａにより反射されるので、光量信号に示される光量は、記憶部１２０に記憶されている光量ＬＡと一致する。
【００８０】
光量信号に示される光量と一致する光量（光量ＬＡ）が記憶部１２０に記憶されている場合には（ステップＳ２０５：Ｙｅｓ）、制御部１３０は、光量ＬＡに対応して記憶されている動作モードで動作するように各部を制御する（ステップＳ２０７）。例えば、光量ＬＡに対応してフォトフレームモードが記憶部１２０に記憶されている場合には、制御部１３０は、フォトフレームモードに遷移するように各部を制御する。
【００８１】
このように、卓上ホルダ２００は、反射板２０５を有し、携帯端末１００は、近接センサ１１０を有し、センサ光が反射板２０５で反射された反射光の、受光部１１２での受光状態に応じて動作する。したがって、携帯端末１００および卓上ホルダ２００に電気的な信号接点を設けることなく、卓上ホルダ２００に装着され携帯端末１００を操作可能とすることができる。
【００８２】
なお、携帯端末１００と卓上ホルダ２００とに信号接点を設けると、静電気などの外的要因により、信号接点を介して携帯端末１００に障害がおよぶ可能性がある。しかしながら、本実施形態においては、信号接点を設ける必要がないので、外的要因により携帯端末１００に障害がおよぶ可能性を低減することができる。
【００８３】
また、上述したように、タッチパネルを有する携帯端末の多くには、近接センサが搭載されている。この近接センサをセンサ光の発光および反射光の受光に利用すれば、携帯端末１００への新たな構成の追加を抑制することができる。
【００８４】
なお、制御部１３０は、光量ＬＡに対応する動作モードに遷移するように各部を制御した後、ステップＳ２０４の処理に戻る。
【００８５】
フォトフレームモードに遷移後、センサ光が領域２０５Ｂに照射される位置に反射板２０５が回転された場合には、光量信号に示される光量が光量ＬＡと一致しなくなるので、制御部１３０は、フォトフレームモードを終了し、通常モード状態での充電に遷移する。
【００８６】
また、検出部１０８は、常に、電力供給状態を監視しており、携帯端末１００が卓上ホルダ２００から取り外され、充電端子１０６を介した電力供給が終了した場合には、その旨を制御部１３０に通知する。制御部１３０は、検出部１０８の通知に応じて、通常の動作モードに遷移する。
【００８７】
このように、本実施形態によれば、卓上ホルダ２００は、センサ光を受光部１１２に向けて反射させるとともに、反射させるときの反射率が異なる２つの領域２０５Ａ，２０５Ｂを含む反射板２０５と、２つの領域２０５Ａ，２０５Ｂのいずれかにセンサ光が照射されるように反射板２０５を可動とする可動機構と、を有する。また、本実施形態によれば、携帯端末１００は、卓上ホルダ２００に装着された状態で、反射板２０５で反射された反射光の、受光部１１２により検出された光量に応じた動作内容で動作する。
【００８８】
そのため、携帯端末１００と卓上ホルダ２００とに信号接点を設けることなく、簡易な構成を追加するだけで、卓上ホルダ２００に装着された携帯端末１００を操作可能とすることができる。
【００８９】
（第２の実施形態）
第１の実施形態においては、反射板２０５が、反射率の異なる２つの領域を備える例を説明したが、本実施形態においては、反射板２０５が、反射率の異なる３つ以上の領域を備える例を説明する。
【００９０】
図９Ａは、本実施形態の反射板２０５の表面を示す図である。
【００９１】
図９Ａに示すように、反射板２０５の表面は、４つの領域に分割され、各領域にはそれぞれ、文字「Ａ」から文字「Ｄ」が印刷されている。
【００９２】
図９Ｂは、本実施形態の反射板２０５の裏面を示す図である。
【００９３】
図９Ｂに示すように、反射板２０５の裏面は、表面の領域分割に対応して、表面の文字「Ａ」が印刷された領域に対応する領域２０５Ａと、表面の文字「Ｂ」が印刷された領域に対応する領域２０５Ｂと、表面の文字「Ｃ」が印刷された領域に対応する領域２０５Ｃと、表面の文字「Ｄ」が印刷された領域に対応する領域２０５Ｄと、に分割されている。
【００９４】
領域２０５Ａには、反射シート２０７Ａが貼付され、領域２０５Ｂには反射シート２０７Ｂが貼付され、領域２０５Ｃには反射シート２０７Ｃが貼付され、領域２０５Ｄには反射シート２０７Ｄが貼付される。ここで、各反射シートは、反射率が異なる。
【００９５】
なお、携帯端末１００の構成は、第１の実施形態と同様であるので説明を省略する。
【００９６】
次に、本実施形態の携帯端末の動作について説明する。
【００９７】
図１０は、本実施形態の携帯端末１００の、モード切替機能の設定時の動作を示すフローチャートである。なお、図１０において、図７と同様の処理については同じ符号を付し、説明を省略する。
【００９８】
モード切替機能を有効が「有効」に設定された場合には（ステップＳ１０２：Ｙｅｓ）、制御部１３０は、領域２０５Ａから領域２０５Ｄの各領域にセンサ光が照射される場合における動作モードを設定する動作モード設定画面をディスプレイ１０１に表示させる（ステップＳ３０１）。
【００９９】
動作モード設定画面に従い、センサ光が、領域２０５Ａに照射される場合には動作モードＡが設定され、領域２０５Ｂに照射される場合には動作モードＢが設定され、領域２０５Ｃに照射される場合には動作モードＣが設定され、領域２０５Ｄに照射される場合には動作モードＤが設定されたとする。
【０１００】
制御部１３０は、光量ＬＡに対応して動作モードＡを、光量ＬＢに対応して動作モードＢを、光量ＬＣに対応して動作モードＣを、光量ＬＤに対応して動作モードＤを、記憶部１２０に記憶させる（ステップＳ３０２）。
【０１０１】
なお、光量ＬＡから光量ＬＤはそれぞれ、センサ光が領域２０５Ａから領域２０５Ｄに照射された場合に受光部１１２で検出される反射光の光量であり、予め測定され、記憶部１２０に記憶されている。
【０１０２】
図１１は、本実施形態の携帯端末１００の動作モード切替時の動作を示すフローチャートである。なお、図１１において、図８と同様の処理については同じ符号を付し、説明を省略する。
【０１０３】
制御部１３０は、光量信号に示される光量と一致する光量が記憶部１２０に記憶されているか否かを判定する（ステップＳ４０１）。
【０１０４】
ここで、例えば、光量信号に示される光量が記憶部１２０に記憶されている光量ＬＡと一致する場合には、（ステップＳ２０５：Ｙｅｓ）、制御部１３０は、光量ＬＡに対応して記憶されている動作モードＡに遷移するように各部を制御し（ステップＳ４０２）、ステップＳ２０４の処理に戻る。
【０１０５】
次に、領域２０５Ｂにセンサ光が照射される位置に反射板２０５が回転されたとすると、光量信号に示される光量は、記憶部１２０に記憶されている光量ＬＢと一致する。この場合、制御部１３０は、動作モードＡから動作モードＢに遷移するように各部を制御する。したがって、反射板２０５を回転させることで、携帯端末１００の動作モードを切り替えることができる。
【０１０６】
このように本実施形態によれば、卓上ホルダ２００は、反射率の異なる３以上の複数の領域を含む反射板２０５を有する。また、携帯端末１００は、複数の領域のそれぞれにセンサ光が照射されている場合における動作モードを、各領域にセンサ光が照射された場合に受光部１１２で検出される光量に対応して記憶し、光量信号に示される光量に対応する動作モードで動作する。
【０１０７】
そのため、卓上ホルダ２００に装着されている携帯端末１００の動作モードを、複数の動作モード間で切り替えることができる。
【０１０８】
（第３の実施形態）
第１および第２の実施形態においては、反射板２０５が、反射率の異なる複数の領域を備え、各領域で反射された反射光の光量に応じて、携帯端末１００の動作モードを切り替える例を説明したが、本実施形態においては、複数の領域の反射率を、反射板２０５の回転方向に沿って、徐々に異ならせるとともに、反射光の光量に応じて、携帯端末１００のディスプレイ１０１に表示される映像の輝度を調整する例を説明する。
【０１０９】
図１２Ａは、本実施形態の反射板２０５の表面を示す図である。
【０１１０】
図１２Ａに示すように、反射板２０５の表面には、反射板２０５の中心から外側に向かって延びる１本の線と、その一本の線を挟むように文字「Ａ」および「Ｂ」と、が印刷されている。
【０１１１】
図１２Ｂは、本実施形態の反射板２０５の裏面を示す図である。
【０１１２】
図１２Ｂに示すように、反射板２０５の裏面には、表面に印刷された線を境として、反射板２０５の回転方向に沿って、表面における文字「Ａ」から文字「Ｂ」に向かうほど、徐々に反射率が高くなる反射シート２０７が貼付されている。
【０１１３】
なお、携帯端末１００の構成は、第１の実施形態と同様であるので説明を省略する。
【０１１４】
次に、本実施形態の携帯端末１００の動作について説明する。
【０１１５】
なお、以下では、卓上ホルダ２００に装着されている状態で、携帯端末１００がディスプレイ１０１に映像を表示する場合において、反射光の光量に応じて、映像の輝度を調整する例を用いて説明する。また、以下では、反射板２０５を回転させることでディスプレイ１０１に表示される映像の輝度を調整する機能を輝度調整機能と称する。
【０１１６】
図１３は、本実施形態の携帯端末１００の輝度調整機能設定時の動作を示すフローチャートである。
【０１１７】
なお、輝度調整機能の設定は、携帯端末１００が卓上ホルダ２００に装着されていない状態で行われる。
【０１１８】
タッチパネル１０２などを介して、輝度調整機能の設定を行う旨の操作が入力されると、制御部１３０は、輝度調整機能の有効または無効を設定する初期設定画面をディスプレイ１０１に表示させる（ステップＳ５０１）。
【０１１９】
次に、制御部１３０は、輝度調整機能が「有効」に設定されたか否かを判定する（ステップＳ５０２）。
【０１２０】
輝度調整機能が「無効」に設定された場合には（ステップＳ５０２：Ｎｏ）、制御部１３０は、輝度調整機能が無効である旨を記憶部１２０に記憶させ、処理を終了する（ステップＳ５０３）。
【０１２１】
輝度調整機能が「有効」に設定された場合には（ステップＳ５０２：Ｙｅｓ）、制御部１３０は、モード切替機能が有効である旨を記憶部１２０に記憶させ、処理を終了する（ステップＳ５０４）。
【０１２２】
図１４は、本実施形態の携帯端末１００の輝度調整時の動作を示すフローチャートである。なお、図１４において、図８と同様の処理については同じ符号を付し、説明を省略する。
【０１２３】
制御部１３０は、検出部１０８により充電コネクタ１０７を介して電力供給が行われていると検出された場合には（ステップＳ２０１：Ｎｏ）、そのまま充電を継続する（ステップＳ６０１）。
【０１２４】
また、制御部１３０は、充電端子１０６を介して電力供給が行われていると検出された場合には（ステップＳ２０１：Ｙｅｓ）、輝度調整機能が有効である旨が記憶部１２０に記憶されているか否かを判定する（ステップＳ６０２）。
【０１２５】
輝度調整機能が無効である場合には（ステップＳ６０２：Ｎｏ）、制御部１３０は、そのまま充電を継続する（ステップＳ６０１）。
【０１２６】
輝度調整機能が有効である場合には（ステップＳ６０２：Ｙｅｓ）、制御部１３０は、発光部１１１にはセンサ光を出力させ（ステップＳ２０４）、受光部１１２にはセンサ光の反射光を受光させる。受光部１１２は、反射光を受光し、光量信号を出力する。
【０１２７】
制御部１３０は、光量信号に示される光量と所定の閾値とを比較し（ステップＳ６０３）、比較結果に応じてディスプレイ１０１に表示される映像の輝度を調整する（ステップＳ６０４）。
【０１２８】
ここで、上述したように、反射シート２０７は、反射板２０５の回転方向に沿って、表面における文字「Ａ」から文字「Ｂ」に向かうほど、徐々に反射率が高くなる。
【０１２９】
つまり、文字「Ａ」から文字「Ｂ」に向かう方向に反射板２０５が回転されるにつれて、受光部１１２で検出される光量は高くなる。一方、文字「Ｂ」から文字「Ａ」に向かう方向に反射板２０５が回転されるにつれて、受光部１１２で検出される光量は低くなる。また、受光部１１２で検出された光量に応じて、制御部１３０により輝度が調整される。したがって、反射板２０５を回転させることで、ディスプレイ１０１に表示される映像の輝度を調整することができる。
【０１３０】
なお、検出部１０８は、常に、電力供給状態を監視し、携帯端末１００が卓上ホルダ２００から取り外され、充電端子１０６を介した電力供給が終了した場合には、その旨を制御部１３０に通知する。制御部１３０は、通知部１３０の通知に応じて、通常の動作モードに遷移する。
【０１３１】
このように本実施形態によれば、卓上ホルダ２００は、回転方向に沿って徐々に反射率が異なる反射板２０５を有する。また、携帯端末１００は、受光部１１２で検出された光量に応じて、ディスプレイ１０１に表示される映像の輝度を調整する。
【０１３２】
そのため、反射板２０５を回転させることで、卓上ホルダ２００に装着された携帯端末１００のディスプレイ１０１に表示される映像の輝度を調整することができる。
【０１３３】
なお、本実施形態においては、受光部１１２で検出された光量に応じて、ディスプレイ１０１に表示される映像の輝度を調整する例を用いて説明したが、これに限られず、例えば、レシーバ１０４から出力される音声の音量を調整するようにしてもよい。
【０１３４】
また、第１から第３の実施形態においては、反射板２０５を回転させる例を用いて説明したが、これに限られず、例えば、反射板を水平方向あるいは垂直方向などにスライドさせるようにしてもよい。
【０１３５】
また、第１から第３の実施形態においては、発光部１１２の出力光を反射板２０５で反射し、その反射光の光量に対応する動作内容で動作する例を用いて説明したが、これに限られるものではない。
【０１３６】
例えば、卓上ホルダに、発光部と、透過率の異なる複数の領域を備え、発光部の出力光を複数の領域のいずれかで透過させる透過板とを設け、携帯端末は、透過光の光量に対応する動作内容で動作するようにしてもよい。
【０１３７】
また、卓上ホルダに、発光部と、照射された光をそれぞれ異なる波長の光にして透過させる複数の領域を備え、発光部の出力光を複数の領域のいずれかで異なる波長の光にして透過させる透過板とを設けるとともに、携帯端末に、光の波長を検出する波長検出部を設け、携帯端末が波長検出部により検出された波長に対応する動作内容で動作するようにしてもよい。
【符号の説明】
【０１３８】
１００    携帯端末
１０１    ディスプレイ
１０２    タッチパネル
１０３キーボタン
１０４    レシーバ
１０５    マイクロフォン
１０６    充電端子
１０７    充電用コネクタ
１０８    検出部
１１０    近接センサ
１１１    発光部
１１２    受光部
１２０    制御部
１３０    記憶部
２００    卓上ホルダ
２０１    装着部
２０２    ＡＣアダプタ
２０３    充電端子
２０４    コネクタ
２０５    反射板
２０６    回転軸
２０７，２０７Ａ，２０７Ｂ，２０７Ｃ，２０７Ｄ    反射シート
【図１】
2012147075.tif 000003
【図２】
2012147075.tif 000004
【図３】
2012147075.tif 000005
【図４Ａ】
2012147075.tif 000006
【図４Ｂ】
2012147075.tif 000007
【図５】
2012147075.tif 000008
【図６】
2012147075.tif 000009
【図７】
2012147075.tif 000010
【図８】
2012147075.tif 000011
【図９Ａ】
2012147075.tif 000012
【図９Ｂ】
2012147075.tif 000013
【図１０】
2012147075.tif 000014
【図１１】
2012147075.tif 000015
【図１２Ａ】
2012147075.tif 000016
【図１２Ｂ】
2012147075.tif 000017
【図１３】
2012147075.tif 000018
【図１４】
2012147075.tif 000019